(57)【要約】【課題】授乳中の母親の乳の吸引が、乳児にとって容易にされ、いかなる妨げなしに可能にされ、この場合、このような吸引が、母親の胸自体のためにも優しいような、乳首保護装置を提供する。【解決手段】アーチ状のシールド部３から上方へ突出した乳首部３が設けられており、該乳首部の前側に少なくとも１つの飲み開口７が設けられており、乳首部３が、概して楕円形の断面を有しており、前記少なくとも１つの飲み開口７が、少なくとも１つの長手方向スリット７’によって形成されている。【選択図】図１
0003120392.tif 000002
【実用新案登録請求の範囲】
【請求項１】
授乳中の母親のための乳首保護装置（１）であって、アーチ状のシールド部（２）から上方へ突出した乳首部（３）が設けられており、該乳首部の前側（６）に少なくとも１つの飲み開口（７）が設けられている形式のものにおいて、乳首部（３）が、概して楕円形の断面を有しており、前記少なくとも１つの飲み開口（７）が、少なくとも１つの長手方向スリット（７’）によって形成されていることを特徴とする、乳首保護装置。
【請求項２】
前記長手方向スリット（７’）が、概して楕円形の乳首部断面の長軸（３’’）に対して垂直に延びている、請求項１記載の乳首保護装置。
【請求項３】
乳首部の仮想中間平面（１３）の両側に２つの長手方向スリット（７’）が設けられている、請求項１又は２記載の乳首保護装置。
【請求項４】
長手方向スリット（７’）が、４ｍｍ〜８ｍｍの長さを有する、請求項１から３までのいずれか１項記載の乳首保護装置。
【請求項５】
概して楕円形の断面を有する乳首部（３）が、少なくとも、該乳首部のより長い側面（５，５’）において、粗い面を有している、請求項１から４までのいずれか１項記載の乳首保護装置。
【請求項６】
前記乳首部（３）が、前側（６）において粗い面（４）を有している、請求項１から５までのいずれか１項記載の乳首保護装置。
【請求項７】
乳首部（３）の側面（５，５’）及び／又は前側（６）の表面荒さが、せいぜい１００μｍ、特にせいぜい５０μｍである、請求項５又は６記載の乳首保護装置。
【請求項８】
前記表面荒さが、約１０μｍ〜約４０μｍ、好適には１５μｍ〜３０μｍである、請求項７記載の乳首保護装置。
【請求項９】
シールド部（２）が、外方に突出したノブ（８）を有している、請求項１から８までのいずれか１項記載の乳首保護装置。
【請求項１０】
シールド部（２）が連珠形であり、シールド部の連珠形の長軸が、乳首部の断面の長軸（３’’）に対して平行に延びている、請求項１から９までのいずれか１項記載の乳首保護装置。
【請求項１１】
シールド部（２）及び乳首部（３）が、シリコーンカウチュークから形成されている、請求項１から１０までのいずれか１項記載の乳首保護装置。
【請求項１２】
シールド部（２）及び乳首部（３）の材料が、少なくとも４０のショアー硬度Ａを有している、請求項１から１１までのいずれか１項記載の乳首保護装置。
【請求項１３】
シールド部（２）及び／又は乳首部（３）が、０．９ｍｍ〜１．５ｍｍ、特に１．２ｍｍの壁厚を有している、請求項１から１２までのいずれか１項記載の乳首保護装置。
【考案の詳細な説明】
【技術分野】
【０００１】
本考案は、授乳中の母親のための乳首保護装置に関し、この乳首保護装置は、アーチ状のシールド部から上方へ突出した乳首部を有しており、この乳首部の前側には少なくとも１つの飲み開口が設けられている。
【背景技術】
【０００２】
母親及び乳児の両者にとって、授乳がストレスのないリラックスできるものであることが重要である。しかしながら、しばしば授乳の開始又は授乳作業はそれぞれ、次のような理由によって困難にされる。すなわち、乳児の吸引力が弱い又は乳児が怠惰な供給者である、母親に自信がない又は乳児が母親の自然の乳首をうまく掴まない、乳児の生まれつきの奇形、母親の自然な乳首の特別な特定の形状、例えば平坦な又は窪んだ乳首、望ましくない乳の流れの反射、乳児の吸引が母親に苦痛を生じる、母乳停止、傷又はひび割れた乳首又は、最悪の場合には胸の炎症（乳腺炎）との母親の密接である。
【０００３】
このような困難の場合又は、かなり一般的に、授乳のために、いわゆる授乳保護装置又は授乳パッドが補助手段として使用される。この補助手段は、授乳のために、乳首、乳輪、又は母親の胸の一部に被せられ、この場合、乳児は保護装置上から直接に吸引する。
【０００４】
最初に規定されたタイプの乳首保護装置は、ドイツ連邦共和国実用新案第２０２１９９５０号明細書、ドイツ連邦共和国特許第４４１５９３９号明細書、及び米国特許第２３６４８６６号明細書から公知である。授乳中の母親のためのこれらの乳首保護装置は、薄い壁の柔軟な材料から成っており、上面図で見て例えば円形、又は角が丸みづけられた三角形の大面積のリムを有している。ベース又はシールド部から上方へ突出した円形断面の吸引乳首は、前側に飲み穴を有している。しかしながら、この乳首保護装置を取り扱う場合、飲み穴が、吸引中の乳の妨げられない流れのために最適ではないことが分かった。吸引中に、乳児は、乳首保護装置又は母親の自然の乳首をそれぞれ比較的口の奥深くにまで引き込み、これにより、乳首保護装置は、口蓋と舌との間に締付けられ、この場合、乳首保護装置の円形断面が圧縮される。したがって、飲み穴が押し潰され、乳が穴を自由に流過できなくなる。既に現れた乳は、母親の胸と乳首保護装置との間に蓄積し、母親の胸における乳首保護装置の接着に不都合な影響を与える。乳首保護装置が不意に胸から外れてしまう危険性があり、このことは、自然の乳首及び乳輪の敏感な皮膚のための結果を有するのみならず、乳児が、自然の吸引反射によって、乳首保護装置を飲み込んでしまう危険性も生じる。
【特許文献１】ドイツ連邦共和国実用新案第２０２１９９５０号明細書
【特許文献２】ドイツ連邦共和国特許第４４１５９３９号明細書
【特許文献３】米国特許第２３６４８６６号明細書
【考案の開示】
【考案が解決しようとする課題】
【０００５】
したがって、本考案の目的は、前記タイプの乳首保護装置であって、この乳首保護装置によって、授乳中の母親の乳の吸引が、乳児にとって容易にされ、いかなる妨げなしに可能にされ、この場合、このような吸引が、母親の胸自体のためにも優しいような、乳首保護装置を提供することである。
【課題を解決するための手段】
【０００６】
最初に定義されたタイプの本考案による乳首保護装置は、乳首部が概して楕円形の断面を有しており、少なくとも１つの飲み開口が少なくとも１つの長手方向スリットによって形成されていることを特徴とする。概して楕円形の断面の乳首部は、平らな形状を有しており、この平らな形状は、第１に吸引するために好適であり、この平らな形状によって、吸引中の位置も規定され、同時に母親の自然の乳首への乳首部の良好な適応が提供される。吸引のために、乳児の口における吸引反射及び真空を利用して、乳児は底部から頂部へ舌を移動させ、同時に母親の胸から母親の乳を引き出す。したがって、乳児の唇及び口の自然の楕円形状に適応させられた楕円形の断面は、乳児の吸引移動によっていかなる問題をも生じることなく押し合わせられることができ、これにより、さらに、長手方向スリットによって形成された飲み開口は、単純な形式で広げられ、ひいては、乳の妨げられない流れを保証する。長手方向スリットが乳首部の前側の中央の領域に配置されているならば長手方向スリットの開口はあらゆる場合に保証されることが示されている。
【０００７】
有利には、長手方向スリットは、概して楕円形の乳首部断面の長軸に対して垂直に延びている。この配列により、乳児の吸引移動によって乳首部が押し合わせられるやいなや長手方向スリットは所望の程度に自動的に広げられる。したがって、母親の胸自体のために優しい授乳も可能にされる。
【０００８】
択一的な好適な実施形態によれば、２つの長手方向スリットは、仮想乳首部中央平面の両側に設けられている。この実施形態は、最適な程度に乳の量を引き出すために有利であることが証明された。乳児の頭又は口の可能な移動の場合にも、妨げられない授乳が可能にされる。２つの長手方向スリットを有する実施形態において、スリットの長さは比較的短くてよい。
【０００９】
長手方向スリットが４ｍｍ〜８ｍｍの長さを有するならば適切であることが証明された。乳首保護装置の様々な寸法が提供されることができるので、飲み開口の寸法は、乳首保護装置の寸法に適用されることができ、長手方向スリットの数に従って選択されることができる。（もちろん、乳首部に３つ以上の長手方向スリットを設けることもできる）。
【００１０】
好適には、概して楕円形の断面の乳首部は、少なくともそのより長い側面のうちの１つにおいて粗い面を有している。粗い面は、これらの領域における乳首部が、母親の胸と同じような皮膚のような感触を有するという効果を有する。したがって、粗い面が設けられた領域が両方のより長い側面に設けられているとさらに適切である。さらに、乳首部が前側において粗い面を有していると有利である。これによって、乳児は、舌及び上顎においてだけではなく、口蓋の領域においても、柔軟な皮膚のような物体を感じる。
【００１１】
女性の乳首及び乳輪の皮膚のような組織の良好な擬似を得るために、乳首部の側面及び／又は前側の表面粗さは、せいぜい１００μｍ、特にせいぜい５０μｍである。試験は、所望の組織のために、粗い面を備えた領域が、約１０μｍ〜約４０μｍ、好適には１５μｍ〜３０μｍの表面粗さを有すると特に有利であるということを示した。
【００１２】
同様に、シールド部の表面には、母親の自然の乳首の組織と同様の組織が形成されることができる。特に、シールド部が、外方へ突出したノブを有していると有利である。乳児の唇又は頬に接触すると、これらのノブは、快適な感触を与えることができる。
【００１３】
取付け及び取外し中の乳首保護装置の良好な取扱いのために、シールド部が連珠形であると適切であり、この場合、シールド部連珠の長軸は、乳首部断面の長軸に対して平行に延びている。連珠形であることによる狭まった部分を有するこの特定の形状によって、乳首保護装置は、容易にかつ確実に掴まれることができ、また、正しい向きで胸の前側に取り付けられることができ、授乳の後、乳首保護装置はしっかりと掴まれ、取り外されることもできる。
【００１４】
乳首保護装置の材料に関して、シールド部及び乳首部を一片としてシリコーンカウチュークから形成することが適切であることが分かった。この材料は無味であり、授乳する母親の胸にぴったりと接触し、加工が簡単であり、衛生上の要求を満たしている。別の好適な材料はラテックス又は熱可塑性エラストマである。
【００１５】
乳首保護装置の良好な／柔軟な接触に関して、シールド部及び／又は乳首部の材料が少なくとも４０のショアー硬度Ａを有しているならば有利である。
【００１６】
好適には、シールド部及び／又は乳首部の壁厚は、０．９ｍｍ〜１．５０ｍｍに選択されるが、１．２０ｍｍの壁厚が特に適切であることが分かった。
【００１７】
以下では、本考案は、図面に示された好適な典型的な実施形態に関してより詳しく説明される。
【考案を実施するための最良の形態】
【００１８】
図１は、アーチ状のベース若しくはシールド部２と、ここから上方へ突出した乳首部３とを有する一片型の乳首保護装置１を斜視図で示している。シールド部２は、特に図３に示されているように、連珠形に形成されているのに対し、乳首部３は、断面で見ると、概して楕円形を有しており、この楕円形は、実質的に、飲んでいる間の母親の自然の乳首の形状に、又は乳児の口の（細長い）形状に対応している。乳首部３は、ここではより長い側面５，５’及び前側６に延びている粗い面４を有している。
【００１９】
前側６には、概して楕円形の断面の乳首部３の長手方向軸線に対して垂直に延びた長手方向スリット７’によって形成された飲み開口７が設けられている。吸引の間、乳首部３は、乳児の舌及び上顎によって押圧されるか又は僅かに搾られ、これにより、長手方向スリット７’が僅かに広がり、乳は妨げなく飲み開口７を通過することができる。
【００２０】
（使用時に乳児に面する）外側において、示されたシールド部２は突出するノブ８を有している。好適には、ノブ８は様々な寸法を有しており、連珠形のシールド部２のより広い領域にのみ設けられている。しかしながら、ノブ８は、シールド部２の表面全体に亘って分配されることもでき、ノブの配列はランダム又は規則的であることができる。
【００２１】
特に図２に示したように、乳首部３は、フード状の前側６に移行している円錐形の乳首シャフト３’を有している。示されているように、粗い面４は、乳首部３の前側６と比較して、乳首シャフト３’においてより幅広になるように設計されている。
【００２２】
前側６に設けられた長手方向スリット７’は、概して楕円形の乳首部断面の長手方向軸線３’’に対して垂直に延びている。
【００２３】
さらに、図１及び図２に示されているように、乳首シャフト３’は連続的にシールド部２に融合しており、シールド部２は僅かに下方へ湾曲しており、女性の胸に良好に当てつけられるように、乳首保護装置１の改良された接触を提供する。シールド部２の連珠形状は、向き合って配置された２つの狭い部分２’，２’’を提供しており、これらの狭い部分は、乳首保護装置１を取り付けたり取り外したりするために乳首保護装置１を掴むのに適している。
【００２４】
図３に示したように、シールド部２の連珠形状は、上面図で見た場合、その長手方向軸線が楕円形断面の乳首部３の長手方向軸線３’’に対応するように設けられている。シールド部２の最も狭い部分は、有利には、乳首部３の前側６に形成された長手方向スリット７と一直線に配置されている。最も狭い部分において、シールド部２は、約４０ｍｍ〜約５０ｍｍ、有利には約４２ｍｍの寸法を有している。シールド部２の最も広い部分は、約４５ｍｍ〜５０ｍｍ、好適には約４９ｍｍであり、長さは、約７０ｍｍ〜７５ｍｍ、好適には約７４ｍｍである、乳首保護装置１は、例えば２５ｍｍ〜３０ｍｍ、特に２７ｍｍの全高を有している。シールド部２及び乳首部３の寸法は、乳首保護装置の寸法に応じて変化することができる。
【００２５】
図１〜図３に示された実施形態において、長手方向スリット７’は、乳首部３の前側６の実質的に中央に配置されており、この場合、前述のように、スリットは乳首部３のより長い軸線３’’に対して垂直に延びている。したがって、スリットは、乳首部３及び乳首シャフト３’の２つの側面５，５’まで延びた粗い面４を有する領域の中央に配置されている。
【００２６】
図４は、乳首保護装置１の実施形態を斜視図で示しており、この場合、図１〜３に示された乳首保護装置１とは対照的に、乳首保護装置１の前側６は、飲み開口７として設けられた２つの長手方向スリット７’を有している。これらの長手方向スリット７’は、この場合にもやはり断面で見ると概して楕円形である乳首部３の短軸に従って延びた仮想乳首部中央平面１３の両側に配置されている。望まれるならば、さらに多くの、すなわち３つ以上の長手方向スリットが飲み開口７として設けられることができる。さらに、図４によれば、粗い面３は乳首部３の前側６にのみ設けられているが、もちろん乳首部３の２つのより長い側面５，５’も粗くなっていることができる。
【００２７】
実質的に前側６の中央の領域における長手方向スリット７’の位置は、乳を中央に集中させて通過させる。その限りでは、乳児のための困難な吸引及び飲み込みを防止するために、図４による２つの長手方向スリット７’は互いに比較的近寄っている。
【００２８】
表面荒さは、せいぜい１００μｍ、特にせいぜい５０μｍであり、好適には、約１０μｍ〜４０μｍ、好適には１５μｍ〜３０μｍの範囲である。
【００２９】
シールド部２及び乳首部３の材料厚さは、約０．９ｍｍ〜１．５ｍｍ、特に１．２ｍｍである。材料に関しては、好適にはシリコーンカウチューク又はラテックスが選択され、この場合、少なくとも４０、好適には約５０のショアーＡ硬度が提供されている。
【図面の簡単な説明】
【００３０】
【図１】本考案による乳首保護装置を示す斜視図である。
【図２】図１に示された乳首保護装置を示す立面図である。
【図３】図１及び図２に示された乳首保護装置を示す上面図である。
【図４】乳首保護装置の変更された典型的な実施形態を示す斜視図である。
【符号の説明】
【００３１】
１  乳首保護装置、  ２  シールド部、  ３  乳首部、  ４  粗い面、  ５，５’  側面、  ６  前側、  ７  飲み開口、  ７’  長手方向スリット、  ８  ノブ
【図１】
0003120392.tif 000003
【図２】
0003120392.tif 000004
【図３】
0003120392.tif 000005
【図４】
0003120392.tif 000006